(57)【要約】【課題】実際の書籍と同じようにページがめくれ見えるような表示を行うこと。【解決手段】表示制御装置１００は、データ取得部１０１と、蓄積部１０２と、操作検出部１０３と、制御部１０４と、表示部１０５とから構成される。表示部１０５に書籍のように表示させるデータをデータ取得部１０１によって取得する。その後、高速アクセス可能な蓄積部１０２に、取得されたデータのなかから３ページ分の表示用データを蓄積する。操作検出部１０３によって操作者から表示制御装置１００に向けた操作を検出すると、制御部１０４は、蓄積部１０２に蓄積された表示用データを用いて、指定されたページを表示部１０５にページがめくれて見えるように表示させる。【選択図】図１
2007121765.tif 000002
【特許請求の範囲】
【請求項１】
データを取得するデータ取得手段と、
前記データ取得手段によって取得した前記データから少なくとも３ページ分のデータを表示用データとして蓄積する蓄積手段と、
操作者からの操作指示を検出する操作検出手段と、
前記操作検出手段によって検出した操作に応じて前記蓄積手段に蓄積された前記表示用データをページがめくれて見えるように表示させる制御手段と、
前記制御手段の制御に応じて２ページ分の前記表示用データを見開きで表示する表示手段と、
を備えることを特徴とする表示制御装置。
【請求項２】
前記制御手段は、前記データ取得手段によって取得された前記データに基づいて、３ページ分の画像データを作成して、当該画像データを前記表示手段に表示させる表示用データとして前記蓄積手段に転送することを特徴とする請求項１に記載の表示制御装置。
【請求項３】
前記制御手段は、前記表示手段に連続した２ページ（ページＮ，Ｎ＋１（Ｎは自然数、以下同様））の表示用データを見開きで表示させる場合に、
前記蓄積手段には、前記ページＮ，Ｎ＋１に相当する表示用データと、さらにページＮ＋３に相当する表示用データと、を蓄積することを特徴とする請求項１または２に記載の表示制御装置。
【請求項４】
前記表示制御装置は、フレキシブル基板によって構成され、
前記操作検出手段は、前記フレキシブル基板の一部の変位を検出し、
前記制御手段は、前記操作検出手段によって所定パターンの変位が検出されると、前記表示手段に表示している画像をページがめくれて見えるように表示させることを特徴とする請求項１〜３のいずれか一つに記載の表示制御装置。
【請求項５】
前記制御手段は、前記ページＮ，Ｎ＋１の見開き表示から、１ページめくり、ページＮ＋２，Ｎ＋３の見開き表示へと切り替える場合に、前記ページＮ＋１および前記ページＮ＋２がめくれて見えるように表示させて表示を切り替えることを特徴とする請求項１〜４のいずれか一つに記載の表示制御装置。
【請求項６】
前記表示手段は、見開きページの左のページを表示する第１の表示領域と、見開きページの右のページを表示する第２の表示領域とを備え、連続する見開きページ順に表示用データを前記第１の表示領域および前記第２の表示領域の２つの表示領域に表示することを特徴とする請求項１〜５のいずれか一つに記載の表示制御装置。
【請求項７】
前記表示手段に前記ページＮ，Ｎ＋１の見開き表示から、前記ページＮ＋１および前記Ｎ＋２からなるページ（操作ページ）をめくり、ページＮ＋２，Ｎ＋３の見開き表示へと切り替えて表示させる場合に、
前記操作ページの表示角度が０度より大きく９０度未満であれば、前記制御手段は、
前記第１の表示領域に前記ページＮの表示用データを表示させ、
前記第２の表示領域に前記操作ページの端を境にして、前記見開き表示の内側に前記ページＮを角度変換した表示用データを表示させ、前記見開き表示の外側に前記ページＮ＋３の表示用データの一部を表示させ、
前記操作ページの表示角度が９０度より大きく１８０度未満であれば、前記制御手段は、
前記第１の表示領域に前記操作ページの端を境にして、前記見開き表示の内側に前記ページＮ＋２を角度変換した表示用データを表示させ、前記見開き表示の外側に前記ページＮ＋３の表示用データの一部を表示させ、
前記第２の表示領域に前記ページＮ＋３の表示用データを表示させることを特徴とする請求項６に記載の表示制御装置。
【請求項８】
前記表示手段に前記ページＮ，Ｎ＋１の見開き表示から、前記ページＮ＋１および前記Ｎ＋２からなるページ（操作ページ）をめくり、ページＮ＋２，Ｎ＋３の見開き表示へと切り替えて表示させる場合に、前記操作ページの表示角度が９０度であれば、
前記制御手段は、前記第１の表示領域に前記ページＮの表示用データを表示させ、前記第２の表示領域に、前記ページＮ＋３の表示用データを表示させることを特徴とする請求項６または７に記載の表示制御装置。
【請求項９】
データを取得するデータ取得工程と、
前記データ取得工程によって取得した前記データから少なくとも３ページ分のデータを表示用データとして蓄積する蓄積工程と、
操作者からの操作指示を検出する操作検出工程と、
前記操作検出工程によって検出した操作に応じて前記蓄積工程によって蓄積された前記表示用データをページがめくれて見えるように表示させる制御工程と、
を含むことを特徴とする表示方法。
【請求項１０】
請求項９に記載の表示方法をコンピュータに実行させることを特徴とする表示プログラム。
【請求項１１】
請求項１０に記載の表示プログラムをコンピュータによる読み取り可能に記録したことを特徴とする記録媒体。
【発明の詳細な説明】
【技術分野】
【０００１】
この発明は、可撓性ディスプレイに表示された書籍データを実際の書籍のページをめくるような動作によって表示内容を切り替える表示制御装置、表示方法、表示プログラムおよび記録媒体に関する。ただし、この発明の利用は、前述の表示制御装置、表示方法、表示プログラムおよび記録媒体に限るものではない。
【背景技術】
【０００２】
近年、印刷物に替わってテキストデータや画像データを携帯しやすい小型ディスプレイなどに表示させる電子ブックが普及しつつある。このような電子ブックにおいて課題とされているのは、表示画面の見やすさと、所望のページを表示させるように指示する際の操作性である。
【０００３】
従来、電子ブックの操作性を高めるために、実際に書籍を読む作業に近づける技術の開発が進められている。例えば、柔軟性を有した表示部と、表示部の撓みによる変位を電気的な特性の変化として検出する検出部とを備え、アナログデータやベクトルデータの入力を簡単かつ直感的に操作できる表示入力装置（例えば、下記特許文献１参照。）が開示されている。
【０００４】
【特許文献１】特開２００４−４６７９２号公報
【発明の開示】
【発明が解決しようとする課題】
【０００５】
しかしながら、特許文献１の表示入力装置は、紙媒体を扱う感覚でページをめくる操作や、しおりを挟む操作、またはメニューを表示させる操作などを行うことは可能だが、実際の書籍を閲覧しているような視覚的表現を行う機能は備わっていない。したがって、実際の書籍を読んでいるようにパラパラとページをめくり、残像を利用して素早く書籍の内容を認識するなど、自然な閲覧ができないという問題が一例としてあげられる。
【課題を解決するための手段】
【０００６】
上述した課題を解決し、目的を達成するため、請求項１の発明にかかる表示制御装置は、データを取得するデータ取得手段と、前記データ取得手段によって取得した前記データから少なくとも３ページ分のデータを表示用データとして蓄積する蓄積手段と、操作者からの操作指示を検出する操作検出手段と、前記操作検出手段によって検出した操作に応じて前記蓄積手段に蓄積された前記表示用データをページがめくれて見えるように表示させる制御手段と、前記制御手段の制御に応じて２ページ分の前記表示用データを見開きで表示する表示手段と、を備えることを特徴とする。
【０００７】
また、請求項９の発明にかかる表示方法は、データを取得するデータ取得工程と、前記データ取得工程によって取得した前記データから少なくとも３ページ分のデータを表示用データとして蓄積する蓄積工程と、操作者からの操作指示を検出する操作検出工程と、前記操作検出工程によって検出した操作に応じて前記蓄積工程によって蓄積された前記表示用データをページがめくれて見えるように表示させる制御工程と、を含むことを特徴とする。
【０００８】
また、請求項１０の発明にかかる表示プログラムは、請求項９に記載の表示方法をコンピュータに実行させることを特徴とする。
【０００９】
また、請求項１１の発明にかかる記録媒体は、請求項１０に記載の表示プログラムをコンピュータに読み取り可能に記録したことを特徴とする。
【発明を実施するための最良の形態】
【００１０】
以下に添付図面を参照して、この発明にかかる表示制御装置、表示方法、表示プログラムおよび記録媒体の好適な実施の形態を詳細に説明する。
【００１１】
（表示制御装置の機能的構成）
図１は、この発明の本実施の形態の表示制御装置の機能的構成を示すブロック図である。図１に示したように表示制御装置１００は、データ取得部１０１と、蓄積部１０２と、操作検出部１０３と、制御部１０４と、表示部１０５とから構成されている。また、表示制御装置１００は、好適な例ではフレキシブル基板によって構成されている。
【００１２】
データ取得部１０１は、表示制御装置１００の表示部１０５に表示させるためのデータを取得する。データ取得部１０１によって取得するデータとは、表示部１０５によって操作者に向けて表示することを目的としたデータであり、例えば、テキストデータ、インデックスデータ、ページ画像データ、検索用データなどである。データ取得部１０１は、取得したデータを記憶する機能を備えている。
【００１３】
蓄積部１０２は、データ取得部１０１によって取得したデータから少なくとも表示にもちいる３ページ分のデータを表示用データとして蓄積する。蓄積部１０２に蓄積された表示用データは制御部１０４の命令に応じて高速アクセスが行える。また、表示用データとして、データ取得部１０１によって取得されたデータを制御部１０４により画像データに変換したデータを蓄積してもよい。
【００１４】
操作検出部１０３は、操作者からの操作指示を検出する。操作検出部１０３は、表示部１０５と一体化された構成にすることで、必要最低限の構成でデータの閲覧を行うことができる。具体的には、可撓性を有したディスプレイに屈曲センサを備え、操作者に撓ませる処理を操作指示として検出する。具体的には、「表示内容の前のページを順次表示させる指示」、「表示内容の後ろのページを順次表示させる指示」、「インデックスを表示させる指示」、「表示されたインデックスのなかのいずれかに対応する表示内容を表示させる指示」、「現在表示しているページをマーキングする指示」、「現在表示されているページのマーキング設定を解除する指示」、「表示部１０５の表示を停止／再開させる指示」などである。
【００１５】
また、操作検出部１０３は、上述のように、フレキシブル基板によって構成された表示制御装置１００の一部の変位を検出するほかに、実施の形態は、可撓性を有したディスプレイに屈曲センサに限らず、通常のディスプレイと、押しボタンや、タッチパネルなど従来の操作手段を用いてもよい。
【００１６】
制御部１０４は、操作検出部１０３によって検出した操作に応じて蓄積部１０２に蓄積された表示用データをページがめくれて見えるように表示させる。例えば、制御部１０４は、操作検出部１０３によって所定パターンの変位が検出されると、表示部１０５に表示している画像をページがめくれて見えるように表示させる。
【００１７】
制御部１０４は、ページがめくれて見えるように表示させるために、めくり表示を行っているページの表示位置に応じて表示用データの表示を変化させる。例えば、めくり途中のページは、ページの端の位置に応じて、表示領域を縮小させ、なおかつ表示内容をページ位置に応じて角度変換して表示させる。表示領域が縮小したページの残りの表示領域には、めくりページの下にあるページの一部を表示させることで実際のページめくりと同じような視覚的効果を得ることができる。また、制御部１０４は、データ取得部１０１によって取得されたデータを画像データに変換し、蓄積部１０２に蓄積させることもできる。
【００１８】
表示部１０５は、制御部１０４の制御に応じて２ページ分のデータ見開きで表示する。また、表示部１０５は、第１の表示領域と、第２の表示領域とを有している。この２つの表示領域に連続した２ページ分の表示用データを表示させることで、実際の書籍のような見開き表示を行うことができる。
【００１９】
（表示制御装置の処理の内容）
つぎに、表示制御装置の処理の手順について説明する。図２は、この発明の本実施の形態の表示制御装置の手順を示すフローチャートである。図２のフローチャートにおいて、まず、データ取得部１０１によってデータを取得する（ステップＳ２０１）。つぎに、蓄積部１０２に、データ取得部１０１によって取得されたデータから３ページ分の表示用データを蓄積する（ステップＳ２０２）。
【００２０】
続いて、操作検出部１０３によって操作者からの操作を検出したか否かを判断する（ステップＳ２０３）。ここで、操作者からの操作を検出するまで待ち（ステップＳ２０３：Ｎｏのループ）、操作を検出すると（ステップＳ２０３：Ｙｅｓ）、続いて、ステップＳ２０３によって検出した操作が表示終了操作か否かを判断する（ステップＳ２０４）。検出した操作が表示終了操作ではない場合（ステップＳ２０４：Ｎｏ）、制御部１０４は、検出した操作に応じて、表示用データを表示部１０５にページがめくれて見えるように表示させる（ステップＳ２０５）。
【００２１】
つぎに、蓄積部１０２は、表示されているページに応じて新たに表示用データを蓄積し（ステップＳ２０６）、ステップＳ２０３の処理に移行する。また、ステップＳ２０４の判断に戻り、ステップＳ２０３によって検出した操作が表示終了操作であると判断された場合は（ステップＳ２０４：Ｙｅｓ）、そのまま一連の処理を終了する。
【００２２】
さらに、制御部１０４が、表示部１０５にページがめくれて見えるように表示させるための処理を詳しく説明する。表示部１０５の表示内容は、ページめくりが行われるページの端を境界線として、表示内容を変化させる。例えば、ページＮ，Ｎ＋１の見開き表示から、ページＮ＋１およびページＮ＋２からなるページ（操作ページ）をめくるような表示を行い、ページＮ＋２，Ｎ＋３の見開き表示へと切り替える場合について説明する。
【００２３】
まず、表示部１０５は、第１の表示領域にページＮの表示用データを表示し、第２の表示領域にページＮ＋１の表示用データを表示している。ページめくり表示が開始され、操作ページの表示角度が変化していく。操作ページの表示角度が０〜９０度の場合は、第１の表示領域にページＮの表示用データを表示し、第２の表示領域にページＮ＋１を角度補正した表示用データと、ページＮ＋３の表示用データの一部を表示する。操作ページの表示角度の増加に伴い、ページＮ＋１の表示用データを表示する範囲は縮小していく。したがって、ページＮ＋３の表示用データの表示範囲は、表示角度の増加に応じて拡大する。
【００２４】
操作ページの表示角度が９０度になると、第１の表示領域にページＮの表示用データを表示し、第２の表示領域にページＮ＋３の表示用データを表示する。さらに、ページめくり表示が行われ、操作ページの表示角度が９０〜１８０度の場合は、第１の表示領域にはページＮの表示用データの一部と、ページＮ＋２ページを角度補正した表示用データを表示し、第２の表示領域にページＮ＋３を表示する。ここでは、操作ページの表示角度の増加に伴い、ページＮ＋２の表示用データを表示する範囲は拡大していく。したがって、ページＮの表示用データの表示範囲は、表示角度の増加に応じて縮小する。ページめくりが終了すると、第１の表示領域にページＮ＋２を表示し、第２の表示領域にページＮ＋３を表示する。表示部１０５の第１の表示領域にページ数の小さいページを表示させ、第２の表示領域にページ数の大きいページを表示させるように設定することで、右開きの書籍データとして表示させることもでき、なおかつ、左開きの書籍データとして表示させることもできる。
【００２５】
また、上述の実施の形態では、表示制御装置１００によって、前から後ろへページをめくる際の表示方法について説明したが、後ろのページから前のページへ遡って表示させることもできる。この場合は、制御部１０５が、操作検出部１０３が前から後ろへのページめくりの操作指示として検出する操作と、後ろから前へのページめくりの操作指示として検出する操作とを区別して判断できるように設定しておく必要がある。操作者から後ろから前へのページめくりの操作指示を検出すると、制御部１０４は、見開きページのページ数の大きい方のページ（例えば、２ページ目と、３ページ目の見開き表示の場合は、３ページ目）を基準のページＮとして、ページＮ，Ｎ−１，Ｎ−３を最初の３ページ分の表示用データとして蓄積部１０２に蓄積し、前から後ろへのページめくりと同様にページめくり表示を行う。
【００２６】
以上説明したように、本発明の実施の形態にかかる表示制御装置１００によれば、実際に書籍を閲覧する場合と遜色なく表示用のデータをパラパラとめくれて見えるように表示することができる。
【実施例】
【００２７】
以下にこの発明の実施例について説明する。本実施例では、例えば屈曲センサを備えた可撓性ディスプレイに本発明にかかる表示制御装置を内蔵させることで操作者が携帯しやすい電子ブックを実現する。
【００２８】
（電子ブックの機能的構成）
図３は、この発明の本実施例にかかる電子ブックの機能的構成を示すブロック図である。図３に示したように電子ブック３００は、記憶部３１０、検出部３２０、電源部３３０、表示制御部３４０、制御部３５０、表示部３６０、音声発生部３７０と、から構成される。また、各機能部３１０〜３７０は、バスライン３８０によって接続されている。
【００２９】
記憶部３１０は、フレキシブルな薄型の半導体メモリや有機半導体メモリなどによって構成される。また、記憶部３１０に記憶されるデータは、書籍データと、操作データとの２つに大別される。書籍データとは、電子ブック３００に表示させる書籍自体を構成するテキストデータ、インデックスデータ、ページ画像データ、検索用データ、また、１ページの画像がどのようなテキストや画像から構成されるかを示すページ構成データなどである。書籍データによっては、音声データも含まれる。操作データとは、電子ブック３００を操作、閲覧するために必要なブックマーク（しおり情報）、画像設定情報、初期設定情報などである。
【００３０】
書籍データは、あらかじめ電子ブック向けのパッケージデータを利用するほかに、電子ブック３００に表示させたいテキストデータや、画像データを書籍データとして取り込んでもよい。書籍データの取得手段としては、電子ブック３００の内部もしくは外部にデータ読み取りドライブを備えてもよい。また、無線レシーバを備え、外部との通信システムを経由して書籍データを取得してもよい。一方、操作データは、操作者が電子ブック３００を利用するに応じてデータが蓄積される。
【００３１】
検出部３２０は、屈曲センサ３２１と、静電容量センサ３２２の２種類のセンサを備えている。屈曲センサ３２１は、電子ブック３００の全体あるいは一部（例えば、電子ブック３００の四つ角）に設けられており電子ブック３００の撓み具合を検出する。静電容量センサ３２２は、電子ブック３００の最表面の保護層に備えられ、操作者が電子ブック３００の表面に触れたことによる静電気量の変化を検出する。屈曲センサ３２１および静電容量センサ３２２の検出結果は制御部３５０へ出力され、操作者からの電子ブック３００の操作指示の内容を判別するために用いられる。
【００３２】
屈曲センサ３２１は、上記の特許文献１に記載された表示入力装置にも利用されている公知の技術である。ここで、可撓性フィルムの屈曲センサについて簡単に説明する。屈曲センサとは、屈曲センサ自身が取り付けられた可撓性フィルム（本実施例では可撓性ディスプレイ）の撓み具合を検出するセンサである。屈曲センサは、基板の性質によって基板の長手方向ディメンションに対して直角な１つまたは２つの軸の回りで測定される。例えば、ロープ状基板では、屈曲を直接的または間接的にこのような２つの軸の回りで感知する必要がある。また、限られた自由度内でしか変形されない基板を提供することによって、必要とされるセンサの数を減少させることができる。
【００３３】
例えば、光ファイバ技術に基づく屈曲センサのなかでも、特にループ状端型ファイバは、関連のファイバ端が総て複数光ファイバ光源式の光感知・信号処理ユニットに接続した状態で、複数の位置における湾曲度をサンプリングするのに適している。可撓性フィルムの屈曲を測定するには、処理済みの光ファイバの敏感な部分を、屈曲がその回りに発生する軸、例えばリボン構造体の全長に対して横断方向に伸張する軸を横切って存在するようにほぼ整合させてもよい。
【００３４】
また、静電容量センサ３２２は、例えば、銀行ＡＴＭ（Ａｕｔｏｍａｔｉｃ  Ｔｅｌｌｅｒ  Ｍａｃｈｉｎｅ）や、各種自動券売機・販売機の操作者インタフェースとして公知の技術である。ここで、静電容量方式についても簡単な説明を行う。静電容量方式とは、透明な導電性基板のガラス面に電気信号を受ける物質が塗布されており、操作者の指がガラス面に近づくと電気信号をセンサで感知する位置検出方式である。タッチパネルの位置検出に用いられているほかの方式（例えば、赤外遮光方式や超音波表面弾性波方式）と比較して耐久性の高いパネルを作りやすいという利点をもつ。位置検出方式としては、その他に抵抗膜方式や、電磁誘導方式などがあり、コスト面や、パネルの透過性など方式によって長所が異なるため、どの方式を用いるかは電子ブック３００の使用形態を考慮して選択してもよい。
【００３５】
電源部３３０は、薄型のリチウムイオン電池などから構成され、記憶部３１０に記憶するデータの書き換えや、表示部３６０の表示データの書き換え、または、音声発生部３７０からの音声出力などの用途に用いられる。また、上述したようなリチウムイオン電池に代えて、電子ブック３００の表示領域外に薄膜型の太陽電池を貼り付けて、電源部３３０としてもよいし、リチウムイオン電池と太陽電池との双方を備え、使用環境に応じて電源を切り替えて利用してもよい。
【００３６】
表示制御部３４０は、表示用データの蓄積手段として、ページバッファメモリ３４１と、グラフィックメモリ３４２とから構成される。ページバッファメモリ３４１は、電子ブック３００の表示部３６０に表示する際に必要なデータが格納されている。グラフィックメモリ３４２は、実際に表示部３６０に表示する表示用グラフィックデータを一時的に格納する。グラフィックメモリ３４２に保持された表示用グラフィックデータは、表示部３６０に供給される。
【００３７】
制御部３５０は、フレキシブル基板上に構成された有機半導体、有機トランジスタなどから構成された薄型のＣＰＵ（Ｃｅｎｔｒａｌ  Ｐｒｏｃｅｓｓｉｎｇ  Ｕｎｉｔ；中央処理演算装置）を備え、各機能部３１０〜３４０，３６０，３７０の制御を行う。例えば、検出部３２０の検出結果から操作者がどのような操作を行ったかを判断し、「ページめくり表示」、「インデックス表示」、「しおり操作」などの表示制御を行うために、記憶部３１０や表示制御部３４０への入出力を制御する。
【００３８】
表示部３６０は、有機ＥＬ（Ｅｌｅｃｔｒｏ  Ｌｕｍｉｎｅｓｃｅｎｃｅ）ディスプレイなどのフレキシブルな薄型ディスプレイで構成される。表示部３６０には、制御部３５０の制御に基づいて、グラフィックメモリ３４２から表示用データが供給され、表示を行う。音声発生部３７０は、平面スピーカや小型スピーカなどで構成され、制御部３５０の制御に基づいて、記憶部３１０に音声情報やオーディオ情報が書籍データと関連して記憶されている場合、表示部３６０の表示内容にあわせて音声データを再生する。
【００３９】
（電子ブックの物理的構成）
つぎに、電子ブックの物理的な構成について説明する。図４は、実施例にかかる電子ブックの物理的構成を示す説明図である。図４に示したように電子ブック３００は、１層目である基板４１０、２層目であるデバイス層４２０、３層目である表示デバイス層４３０、４層目の保護層４４０の各層から構成される。
【００４０】
１層目の基板４１０は、可撓性のあるプラスチックなどフレキシブル基板によって構成される。２層目のデバイス層４２０は、図３示したような各機能部３１０〜３７０とバスライン３８０が各領域に作成されている。また検出部３２０の屈曲センサ３２１は、デバイス層４２０の全領域に格子状に配置したり、電子ブック３００の角部分にのみに配置してもよい。３層目の表示デバイス層４３０は、有機ＥＬディスプレイおよび駆動回路が構成される。４層目の保護層４４０は、透明なプラスチックで構成され、その表面には静電容量センサ３２２（不図示）が備えられている。
【００４１】
図３の説明で既に述べたように、制御部３５０は、屈曲センサ３２１によって検出した電子ブック３００の撓み具合に基づいて、操作者の操作指示を判別する。操作指示の判別例としては、「表示内容の前のページを順次表示させる指示」、「表示内容の後ろのページを順次表示させる指示」、「インデックスを表示させる指示」、「表示されたインデックスのなかのいずれかに対応する表示内容を表示させる指示」、「現在表示しているページをマーキングする指示」、「現在表示しているページのマーキングを解除する指示」、「表示部３６０の表示を停止／再開させる指示」などがある。
【００４２】
さらに、屈曲センサ３２１における検出結果と、制御部３５０によって判別される操作指示との対応関係の具体例を説明する。基本的な操作として、電子ブック３００の左右の端部をめくるように撓ませると、めくった方向に表示内容の切り替え、つまりページがめくれて見えるような制御が行われる。また、電子ブック３００の中央部が内側に２つ折りにされた場合の撓みを検出すると、表示が停止（電源がオフ）される。表示が停止された電子ブック３００を再度開くような撓みが検出されると、表示が再開される。
【００４３】
上述のような、実際に書籍を扱う動作と操作指示の動作とを対応させることで、操作者にとって、操作方法を会得しやすくなる。したがって、操作しやすい電子ブック３００を実現することができる。また上述の例のほかにも、操作者個々の使い勝手に応じて、どのような撓み具合を検出したらどのような操作指示として判別するかを自由に設定できる。
【００４４】
ページをめくる操作を検出した場合には、表示部３６０にあたかもページがめくれて見えるように表示させる。したがって、スクロール画面の表示と異なり、高速のページめくりであっても、表示内容の一部は正確に読み取ることができる。また、左右の端部分に見出し相当の表示内容を表示すれば、さらに、素早く表示内容を確認することができる。
【００４５】
（ページめくり表示を行うための処理）
つぎに、図５〜図１３を用いて電子ブック３００の見開き表示処理について説明する。本実施例では、便宜的に図４に示した屈曲センサ３２１が内側（基板４１０から保護層４４０にむかう方向）に曲げられたことを検出すると制御部３５０にて表示中のページを１ページめくる操作と判別し、ページめくり表示を行うための処理をする。
【００４６】
まず、図５を用いて、見開き表示（実際の書籍を開いたときのように連続する２つのページの表示）を行う手順を説明する。図５は、電子ブックのページ表示のための基本的な構成を示すブロック図である。図５に示したように、記憶部３１０から表示用のデータを表示制御部３４０へ格納し、表示制御部３４０に格納されている表示用データを表示部３６０へ出力して表示を行っている。ここで用いている表示用データとは、実際の書籍の１ページをスキャナで読み取ったようなページ画像、あるいは操作者が設定した文字フォント、行間の書式データにしたがって電子ブック３００の表示領域に表示するテキストデータや画像データのことを意味する。
【００４７】
本実施例では、表示制御部３４０のページバッファメモリ３４１は、さらに、第１ページの表示用データ（実際の書籍の２ページ目の画像）を格納するページバッファメモリ３４１ａと、第２ページの表示用データ（実際の書籍の３ページ目の画像）を格納するページバッファメモリ３４１ｂと、第３ページの表示用データ（実際の書籍の４ページ目の画像）を格納するページバッファメモリ３４１ｃとを備えている。制御部３５０は、記憶部３１０に記憶されている書籍データから表示用データに必要なデータを加工して、実際の表示イメージに相当する３ページ分の画像データを作成し、表示制御部３４０の各ページバッファメモリ３４１ａ〜３４１ｃに供給する。
【００４８】
図６は、ページバッファメモリとグラフィックメモリとの関係を示す説明図である。例えば、図６に示した例では、制御部３５０から２ページ目と３ページ目を見開き表示するという指令がでており、ページバッファメモリ３４１のなかのページバッファメモリ３４１ａに２ページ目の画像データが格納される。同時に、ページバッファメモリ３４１ｂには３ページ目の画像データが格納されている。さらに、ページバッファメモリ３４１ｃには５ページ目の画像データが格納されている。３ページ分の画像データを格納する際に、連続する３ページ分（２、３、４ページ目）ではない理由は、後ほど詳細に説明する。
【００４９】
グラフィックメモリ３４２は、第１表示領域３４２ａと、第２表示領域３４２ｂとから構成されている。第１表示領域３４２ａは、表示部３６０の左半分の表示領域に表示させる画像データを読み込み、第２表示領域３４２ｂは、表示部３６０の右半分の表示領域に表示させる画像データを読み込み、それぞれ表示部３６０に表示させる。図６では第１表示領域３４２ａにページバッファメモリ３４１ａから読み出された２ページ目のページ画像データが描画され、第２表示領域３４２ｂにページバッファメモリ３４１ｂから読み出された３ページ目のページ画像が表示される。ここでも、ページバッファメモリ３４１、グラフィックメモリ３４２は制御部３５０により制御されている。
【００５０】
図７および図８は、ページめくり位置と表示画像の関係を示す説明図である。図７および図８は、電子ブック３００の左右見開き２ページの表示領域を表している。見開き表示の左側の１ページをＮページ目とし、右側の１ページをＮ＋２ページ目とし、Ｎ＋１ページ目の裏側のページをＮ＋２ページ目、さらにその隣のページをＮ＋３ページ目とする。図６に示した例に対応させると、Ｎは２ページ目、Ｎ＋１は３ページ目、Ｎ＋２は４ページ目、Ｎ＋３は５ページ目にそれぞれ対応する。
【００５１】
１ページの表示ページ幅は、最大ページ幅Ｌｍａｘからページのめくれ位置に応じて変化する。図７に示したようにＮ＋１ページ目がめくれる場合は、電子ブック３００の表示領域の右半分の表示内容がページめくり位置に応じて変化していく。つまり、Ｎ＋１ページ目のページの端はページめくり角度（角度θ）に応じて最大ページ幅ＬｍａｘからＬｍａｘ×ｃｏｓθへと縮小していく。なおかつ、Ｎ＋１ページ目の表示内容は角度θだけ表示内容が傾く。また、Ｎ＋１ページの表示領域の変化に伴い、Ｎ＋３ページの表示領域が０からＬｍａｘ（１−ｃｏｓθ）へ拡大していく。一方、電子ブック３００の表示領域の左半分の表示内容、つまりＮページ目は、常に最大ページ幅Ｌｍａｘだけ表示されている。
【００５２】
図８に示したように、めくりページが電子ブック３００の左半分に移動すると、表示領域の右半分にはＮ＋３ページ目が常に最大ページ幅Ｌｍａｘだけ表示される。また、表示領域の左半分は角度θに応じて傾いたＮ＋２ページ目の表示内容がＬｍａｘｃｏｓ（１８０−θ）の幅だけ表示される。Ｎ＋２ページ目の端の左側は、Ｎページ目の表示内容がＬｍａｘ（１−ｃｏｓ（１８０−θ））だけ表示される。めくりページ角度θが増加すると、Ｎ＋２ページ目の表示幅は拡大し、Ｎページ目の表示幅は縮小する。
【００５３】
電子ブック３００は、上述の図７，８を用いて説明した表示方法を用いて表示部３６０に表示を行う。つぎに、図９−１および図９−２は、電子ブックにおける表示制御の手順を説明するフローチャートであり、制御部３５０で行われる処理を示す。図９−１のフローチャートにおいて、まず、検出部３２０から入力された検出結果に基づいて表示するページＮ，Ｎ＋１を特定する（ステップＳ９０１）。図６に示した表示例で説明するとページＮは２ページ目を示し、ページＮ＋１は、３ページ目を示す（すなわち、Ｎ＝２の場合）。
【００５４】
つぎに、記憶部３１０からページＮ，Ｎ＋１，Ｎ＋３のデータを読み出す（ステップＳ９０２）。読み出したデータは、ページ画像を作成するために必要なテキストデータ、画像データなどである。続いて、読み出したデータから画像データを作成する（ステップＳ９０３）。画像データとは、実際に電子ブック３００の表示部３６０に表示する表示内容を表すデータである。
【００５５】
続いて、ステップＳ９０３で作成した画像データを、ページバッファメモリ３４１に格納する（ステップＳ９０４）。ここで、表示するページとページバッファメモリ３４１の格納位置は、図６に示したように、Ｎ（２ページ目）の画像が第１ページのページバッファメモリ３４１ａに格納し、Ｎ＋１（３ページ目）の画像が第２ページのページバッファメモリ３４１ｂに格納し、Ｎ＋３（５ページ目）の画像が第３ページのページバッファメモリ３４１ｃに格納する。
【００５６】
その後、ページバッファメモリ３４１からページＮ、Ｎ＋１の画像データを読み出し、表示部３６０へ見開き表示を行う（ステップＳ９０５）。具体的には、ページバッファメモリ３４１ａからページＮ（２ページ目）の画像データを読み出し第１表示領域３４２ａに表示する。同様に、ページバッファメモリ３４１ｂからページＮ＋１（３ページ目）の画像を読み出し第２表示領域３４２ｂを表示し、見開き表示を行う。
【００５７】
つぎに、制御部３５０は操作者によってページめくり操作されたか否かを判断する（ステップＳ９０６）。具体的には屈曲センサ３２１の検出出力が所定パターンとなったか否かを判断する。ここで、ページめくり操作が検出されるまで待機状態となり（ステップＳ９０６：Ｎｏのループ）、表示部３６０は、引き続きページＮ、Ｎ＋１の見開き表示を維持する。
【００５８】
ステップＳ９０６によって、操作者のページめくり操作を検出した場合（ステップＳ９０６：Ｙｅｓ）、つまり屈曲センサ３２１の検出出力が所定パターンとなったことを制御部３５０が検出した場合は、ページ角度θと、表示ページ幅Ｌの２つのパラメータをそれぞれ０に設定する（ステップＳ９０７）。
【００５９】
つぎに、ページ角度θおよび表示ページ幅Ｌの設定に基づいて、ページＮの画像データを総て表示し、ページＮ＋１の画像データを角度θで画像変換して表示し、ページＮ＋３の画像データをＬ範囲表示する（ステップＳ９０８）。図１０は、ページのめくりはじめの表示とバッファメモリとの関係を示す説明図である。ステップＳ９０８による表示を行う場合、図１０に示したように第１表示領域３４２ａは、２ページ目の画像が表示され、第２表示領域３４２ｂには、角度変換された３ページ目の画像と、４ページ目の画像一部が表示される。したがって、ページバッファメモリ３４１には２ページ、３ページ、５ページの画像が格納されている。
【００６０】
ステップＳ９０８の表示が行われると、つぎにページ角度θをθ＋Δθに設定し、表示ページ幅ＬをＬ＋ΔＬに設定する（ステップＳ９０９）。つまり図６に示した例では、３ページ目と４ページ目から構成される表示面の角度が９０度に近づいていくことを意味する。またＬ＝Ｌ＋ΔＬとし、Ｎ＋３（５ページ目）が表示される領域がＬｍａｘに近づいていく（５ページ目の表示領域が左端から広がっていく）ことを意味する。
【００６１】
つぎに、ページ角度θが９０度であるか否かを判断する（ステップＳ９１０）。ここで、ページ角度が９０度でなければ（ステップＳ９１０：Ｎｏ）、ステップＳ９０８へ戻り、ページ角度（θ＋Δθ）および表示ページ幅（Ｌ＋ΔＬ）にて表示を行う。ステップＳ９０８〜Ｓ９１０を繰り返すことにより、図１０に示すようなページめくりの途中の状態を表示できることになる。ΔθおよびΔＬは、ページめくりがなめらかに表示されるように、例えばΔθ＝１度、ΔＬ＝Ｌｍａｘ／９０のように設定されている。また、ΔＬ＝Ｌｍａｘｃｏｓθ（０≦θ≦１８０）としてもよい。この場合は、０〜９０度では、ｃｏｓθが正の値をとり、９０〜１８０度では負の値をとる。つまり、ページ角度θが０〜９０度の範囲、言い換えると、３ページ目と４ページ目の表示面が水平面に対して垂直になるまでは、ページＮ，Ｎ＋１，Ｎ＋３の３ページ分の画像データを用いることにより、あたかも実際の書籍のページをめくっているかのような表示を行うことができるのである。
【００６２】
ステップＳ９１０でページ角度θが９０度と判断された場合は（ステップＳ９１０：Ｙｅｓ）、続いて、表示ページ幅ＬがＬｍａｘか否かを判断する（ステップＳ９１１）。表示ページ幅ＬがＬｍａｘではない場合は（ステップＳ９１１：Ｎｏ）、ステップＳ９０８へ戻り、ページ角度（θ＋Δθ）および表示ページ幅（Ｌ＋ΔＬ）にて表示を行う。
【００６３】
図１１は、ページめくりが垂直状態の表示内容とバッファメモリとの関係を示す説明図である。ステップＳ９１１で表示ページ幅Ｌ＝Ｌｍａｘになったと判断された場合は（ステップＳ９１１：Ｙｅｓ）、図１１に示すように、３ページ目と４ページ目の表示面が水平面に対して垂直となっており、操作者の視点では３ページ目と４ページ目の表示内容は見えない状態であり、２ページ目と５ページ目が見えている状態である。このような表示を行うために、ページＮ＋３の画像データの格納位置をページバッファメモリ３４１ｃからページバッファメモリ３４１ｂへ変更する（ステップＳ９１２）。実際には、ページバッファメモリ３４１ｂへ上書きすることで変更している。
【００６４】
つぎに、ページＮ＋２（４ページ目）の画像データを作成するのに必要なデータを記憶部３１０から読み出し（ステップＳ９１３）、制御部３５０にてページＮ＋２（４ページ目）の画像データを作成する（ステップＳ９１４）。
【００６５】
続いて、ステップＳ９１４で作成したページＮ＋２の画像データを、バッファメモリに格納する（ステップＳ９１５）。ここで、表示するページとバッファメモリの格納位置は、図１１に示したように、Ｎ（２ページ目）の画像が第１のページバッファメモリ３４１ａに格納され、Ｎ＋３（５ページ目）の画像が第２のページバッファメモリ３４１ｂに格納に格納される。各バッファメモリ３４１ａ〜３４１ｃに既に格納されていた画像データは上書きされる。
【００６６】
その後、ページバッファメモリ３４１からページＮ、Ｎ＋２の画像データを読み出し、表示部３６０へ見開き表示を行う（ステップＳ９１６）。具体的には、ページバッファメモリ３４１ａからページＮ（２ページ目）の画像データを読み出し第１表示領域３４２ａに表示する。同様に、ページバッファメモリ３４１ｂからページＮ＋３（５ページ目）の画像を読み出し第２表示領域３４２ｂに表示し、見開き表示を行う。
【００６７】
つぎに、ページ角度θと、表示ページ幅Ｌの２つのパラメータをそれぞれ０に設定する（ステップＳ９１７）。そして、ページ角度θおよび表示ページ幅Ｌの設定に基づいて、ページＮの画像データの表示幅（Ｌｍａｘ−Ｌ）を表示し、ページＮ＋２の画像データを角度（９０−θ）で画像変換して表示し、ページＮ＋３の画像データを総て表示する（ステップＳ９１８）。
【００６８】
図１２は、ページのめくりおわりの表示とバッファメモリとの関係を示す説明図である。ステップＳ９１８によって表示が行われると、つぎにページ角度θをθ＋Δθに設定し、表示ページ幅ＬをＬ＋ΔＬに設定する（ステップＳ９１９）。つまり図１２の例では３ページ目と４ページ目から構成される紙面のページ角度θが９０度から０度に近づいていくことを意味する。また表示ページ幅Ｌ＝Ｌ＋ΔＬとし、Ｎ（２ページ目）が表示される表示ページ幅ＬがＬｍａｘから０に近づいていく（２ページ目の表示領域がＬｍａｘから左端にむかって狭くなっていく）ことを意味する。
【００６９】
ステップＳ９１９によってページ角度θおよび表示ページ幅Ｌが設定されると、つぎにページ角度θが９０度か否かを判断する（ステップＳ９２０）。ページ角度θが９０度でなければ（ステップＳ９２０：Ｎｏ）、ステップＳ９１８へ戻り、ページ角度９０−θ（このθはθ＋Δθを表す）、表示幅Ｌｍａｘ−Ｌ（このＬはＬ＋ΔＬを表す）にて表示を行う。ステップＳ９１８〜Ｓ９２０を繰り返すことにより、図１２に示すようなページめくりの途中の状態を表示できることになる。ここでも、Δθ、ΔＬは、ページめくりがなめらかに表示されるように、例えばΔθ＝１度、ΔＬ＝Ｌｍａｘ／９０のように設定されている。つまり、角度θが０〜９０度の範囲、言い換えると、３ページ目と４ページ目の表示面が垂直な状態から再度水平になるまでは、ページＮ，Ｎ＋２，Ｎ＋３の３ページ分の画像データを用いることにより、あたかも実際の書籍のページをめくっているかのような表示を行うことができるのである。
【００７０】
ステップＳ９２０によってページ角度θが９０度と判断され（ステップＳ９２０：Ｙｅｓ）、さらに、表示ページ幅Ｌ＝Ｌｍａｘになったか否かの判断を行い（ステップＳ９２１）、表示ページ幅Ｌ＝Ｌｍａｘになったと判断された場合は（ステップＳ９２１：Ｙｅｓ）、３ページ目と４ページ目の表示面が垂直な状態から再度水平になったと判断される。なお、ステップＳ９２１によって表示ページ幅Ｌ＝Ｌｍａｘではないと判断された場合は（ステップＳ９２１：Ｎｏ）、ステップＳ９１８に戻り、ページ角度９０−θ（このθはθ＋Δθを表す）、表示幅Ｌｍａｘ−Ｌ（このＬはＬ＋ΔＬを表す）にて表示を行う。
【００７１】
そして、つぎのページめくり操作に備え、ページバッファメモリ３４１のなかのページＮ＋３（４ページ目）の画像データの格納位置を変更する（ステップＳ９２２）。図１３は、ページめくりが完了した表示とバッファメモリとの関係を示す説明図である。具体的には、図１２から図１３のように、ページバッファメモリ３４１ｃに格納されていた４ページ目の画像データをページバッファメモリ３４１ａへ変更する。このときページバッファメモリ３４１ａに格納されていた２ページ目の画像データは、上書きされる。
【００７２】
続いて、記憶部３１０からページＮ＋５（７ページ目）のページ画像を作成するために必要なデータを読み出し（ステップＳ９２３）、制御部３５０によってページＮ＋５（７ページ目）の画像データを作成し（ステップＳ９２４）、ページバッファメモリ３４１ｃにページＮ＋５（７ページ目）の画像データを格納する（ステップＳ９２５）。ここでも、ページバッファメモリ３４１ｃに格納されていた４ページ目の画像データは上書きされる。
【００７３】
最後に、ページバッファメモリ３４１ａからページＮ＋２（４ページ目）の画像データを読み出し、グラフィックメモリ３４２の第１表示領域３４２ａに表示し、ページバッファメモリ３４１ｂからページＮ＋３（５ページ目）の画像データを読み出し、グラフィックメモリ３４２の第２表示領域３４２ｂに表示する（ステップＳ９２６）。この一連の処理により図１３に示すようにページＮ、Ｎ＋１の見開き状態から、ページＮ＋２、Ｎ＋３の見開き状態へのページめくり処理が完了する。
【００７４】
図１０〜図１３に示したように、ページめくり処理には、めくりページの端が位置する表示領域に表示する２ページ分の画像データと、もう一方の表示領域に表示するめくりが行われていないページの画像データとの３ページ分の画像データをバッファメモリに格納すればよい。また、格納する画像データは、連続した２ページ（Ｎ，Ｎ＋１）と、その２ページ後ろのページ（Ｎ＋３）、もしくは前のページ（Ｎ−２）となる。
【００７５】
また、ページめくり角度θと表示ページ幅Ｌとは、所定の規則性をもって対応していることから、上述したフローチャートの代わりに、ステップＳ９０７、ステップＳ９０９、ステップＳ９１７において、表示ページ幅Ｌの設定を行わず、なおかつステップＳ９１１およびステップＳ９２１の表示ページ幅Ｌの判断を行わずにページ角度θのみを基準に表示内容を変化させてもよい。
【００７６】
さらに、以上のように説明したステップＳ９２６の後に、制御部３５０はステップＳ９０６に戻り、操作者のページめくり操作を監視する、または、電源オフの操作を監視するというようにプログラムを適宜構成することが可能である。
【００７７】
また、上述の実施例では、右めくりの書籍データを閲覧する際のページめくり表示を実現しているが、本発明は、これに限らず、左めくりの書籍データを閲覧する際のページめくり表示を行うこともできる。その際は、図６〜図１３に示したページの並び順序を逆にすればよい。ページめくり方向は、書籍データに含まれているテキストデータの書式を初期設定として表示用データに反映させるが、操作者の設定に応じて表示用データの作成時にテキストデータの書式を変換し、設定したページめくり方向に統一することもできる。
【００７８】
本実施例にかかる電子ブック３００は、所定の検出部３２０を撓ませることで、上述したような表示内容の切り替えを繰り返すことでパラパラとページがめくれて見えるような表示を行うことができる。また、電子ブック３００は、撓み具合の変化に応じてページめくりの速度を変化させることができる。一例としては、検出部３２０を大きく撓ませるとΔθおよびΔＬの値を増加させることでページめくり速度をあげることができる。
【００７９】
一般的な電子ブックは、ページをめくる指示を行うと、即座に表示部３６０全体の表示内容がつぎのページの表示内容に切り替わったり、表示内容をスクロールさせたりする表示方法を用いている。しかし、電子ブック３００の場合は、「ぱらり」とめくれて見えるように表示させることで操作者の目に直前のページの表示内容の残像が記憶される。したがって、視覚的に前後のページの連続性を確認することができ、実際の書籍と同じように、素早く表示内容を把握することができる。
【００８０】
以上説明したように、表示制御装置、表示方法、表示プログラムおよび記録媒体によれば、実際に書籍を閲覧するのと遜色なく表示用のデータをパラパラとめくれて見えるように表示することができる。
【００８１】
また、他の実施例として、電子ブック３００の表示部３６０を外側にして２つ折りにした場合には、表示部３６０の右半分もしくは左半分のみを表示させ、片方は表示停止状態にして利用してもよい。このような利用方法の場合、電子ブック３００の検出部３２０は、表示部３６０のサイズが１／２になったことを検出し、以後、表示制御する表示内容のサイズを１／２に縮小する。したがって、満員電車など混雑した場所でも、周りを気にすることなく電子ブック３００を利用することができる。
【００８２】
さらに、他の実施例において、電子ブック３００の表示部３６０を外側にして２つ折りにした場合に、右半面と、左半面とのそれぞれに、表示サイズを１／２にした同一の表示内容を表示させてもよい。このような利用形態にすることで、電子ブック３００を複数人で同時に閲覧することができる。
【００８３】
なお、本実施の形態で説明した表示方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００８４】
【図１】この発明の本実施の形態の表示制御装置の機能的構成を示すブロック図である。
【図２】この発明の本実施の形態の表示制御装置の手順を示すフローチャートである。
【図３】実施例にかかる電子ブックの機能的構成を示すブロック図である。
【図４】実施例にかかる電子ブックの物理的構成を示す説明図である。
【図５】電子ブックのページ表示のための基本的な構成を示すブロック図である。
【図６】ページバッファメモリとグラフィックメモリとの関係を示す説明図である。
【図７】ページめくり位置と表示画像の関係を示す説明図（その１）である。
【図８】ページめくり位置と表示画像の関係を示す説明図（その２）である。
【図９−１】電子ブックにおける表示制御の手順を説明するフローチャート（その１）である。
【図９−２】電子ブックにおける表示制御の手順を説明するフローチャート（その２）である。
【図１０】ページのめくりはじめの表示とバッファメモリとの関係を示す説明図である。
【図１１】ページめくりが垂直状態の表示内容とバッファメモリとの関係を示す説明図である。
【図１２】ページのめくりおわりの表示とバッファメモリとの関係を示す説明図である。
【図１３】ページめくりが完了した表示とバッファメモリとの関係を示す説明図である。
【符号の説明】
【００８５】
１００  表示制御装置
１０１  データ取得部
１０２  蓄積部
１０３  操作検出部
１０４  制御部
１０５  表示部
３００  電子ブック
３１０  記憶部
３２０  検出部
３２１  屈曲センサ
３２２  静電容量センサ
３３０  電源部
３４０  表示制御部
３４１  ページバッファメモリ
３４２  グラフィックメモリ
３４２ａ  第１表示領域
３４２ｂ  第２表示領域
３５０  制御部
３６０  表示部
３７０  音声発生部
３８０  バスライン
４１０  基板
４２０  デバイス層
４３０  表示デバイス層
４４０  保護層
【図１】
2007121765.tif 000003
【図２】
2007121765.tif 000004
【図３】
2007121765.tif 000005
【図４】
2007121765.tif 000006
【図５】
2007121765.tif 000007
【図６】
2007121765.tif 000008
【図７】
2007121765.tif 000009
【図８】
2007121765.tif 000010
【図９−１】
2007121765.tif 000011
【図９−２】
2007121765.tif 000012
【図１０】
2007121765.tif 000013
【図１１】
2007121765.tif 000014
【図１２】
2007121765.tif 000015
【図１３】
2007121765.tif 000016